(57)【要約】      （修正有）【課題】ディスプレイ装置の提供。【解決手段】ディスプレイ装置は、カバーと、カバーに収容されるディスプレイパネルと、ディスプレイパネルの後面側において、カバーの四方向の縁のうち少なくとも一縁に沿って配置された複数の発光素子311と、発光素子311の配置方向に平行に延在しており、発光素子311からの光が入射するように発光素子311の光出射方向に配置されたレンズ320と、ディスプレイパネルの後面に設けられており、レンズ320からの光をディスプレイパネルへ反射させる反射シートと、少なくとも一縁に沿って延在しているホルダー本体410、ホルダー本体410の一面上に発光素子311を収容するように形成された発光素子収容部420、及び発光素子収容部420から離れており、レンズ320を結合及び支持できるようにホルダー本体410の一面上に形成されたレンズ支持部430を有するホルダー400と、を備える。【選択図】図２
2013068931.tif 000002
【特許請求の範囲】
【請求項１】
ディスプレイ装置において、
カバーと、
前記カバーに収容されるディスプレイパネルと、
前記ディスプレイパネルの後面側で、前記カバーの四方向の縁のうちの少なくとも一縁に沿って配置された複数の発光素子と、
前記発光素子の配置方向に平行に延長されて、前記発光素子からの光が入射するように前記発光素子の光出射方向に配置されたレンズと、
前記ディスプレイパネルの後面に設けられて、前記レンズからの光を前記ディスプレイパネルへ反射させる反射シートと、
前記少なくとも一縁に沿って延長されているホルダー本体と、前記ホルダー本体の一面上に前記発光素子を収容するように形成された発光素子収容部と、前記発光素子収容部から離れており前記レンズを結合及び支持できるように前記ホルダー本体の前記一面上に形成されたレンズ支持部とを有するホルダーと、
を含むことを特徴とするディスプレイ装置。
【請求項２】
前記レンズは、
レンズ本体と、
前記レンズ本体から前記ディスプレイパネルを向く第１方向に延長された第１延長部と、
前記第１方向の反対方向である第２方向に延長された第２延長部と、を含み、
前記レンズ支持部は、前記第１延長部を支持する第１支持部と、前記第２延長部を支持する第２支持部とを含むことを特徴とする、請求項１に記載のディスプレイ装置。
【請求項３】
前記第２支持部は、
前記光出射方向に平行な第３方向に延長された第２支持部本体と、
前記第２支持部本体から前記第１方向に突出したフック状の第２支持部フックと、を含み、
前記第２支持部本体は、外力により前記レンズが前記第３方向の反対方向である第４方向に向かって前記レンズ支持部に装着される時に、前記外力による前記第２延長部の加圧力によって前記ホルダー本体からの弾性移動が可能であることを特徴とする、請求項２に記載のディスプレイ装置。
【請求項４】
前記第２支持部フックは、前記レンズの装着時における前記第２延長部との接触領域が丸く形成されたことを特徴とする、請求項３に記載のディスプレイ装置。
【請求項５】
前記第１支持部は、
前記第３方向に延長された第１支持部本体と、
前記第１支持部本体の端部から前記第２方向に延長されており、前記第１支持部に収容された前記第１延長部の離脱を防止する第１支持部掛止突部と、を含み、
前記第１支持部は、前記第４方向に作用する前記外力によっても前記ホルダー本体から弾性移動しないことを特徴とする、請求項３に記載のディスプレイ装置。
【請求項６】
前記第１支持部は、
前記第３方向に延長された第１支持部本体と、
前記第１支持部本体から前記第２方向に突出したフック状の第１支持部フックと、を含み、
前記第１支持部本体は、外力によって前記レンズが前記第４方向に向かって前記レンズ支持部に装着される時に、前記外力による前記第１延長部の加圧力によって前記ホルダー本体からの弾性移動が可能であることを特徴とする、請求項３に記載のディスプレイ装置。
【請求項７】
前記第１支持部フックは、前記レンズの装着時における前記第１延長部との接触領域が丸く形成されたことを特徴とする、請求項６に記載のディスプレイ装置。
【請求項８】
前記第１支持部は、
前記光出射方向に平行な第３方向に延長された第１支持部本体と、
前記第１支持部本体から前記第２方向に突出したフック状の第１支持部フックと、を含み、
前記第１支持部本体は、外力により前記レンズが前記第３方向の反対方向である第４方向に向かって前記レンズ支持部に装着される時に、前記外力による前記第１延長部の加圧力によって前記ホルダー本体からの弾性移動が可能であることを特徴とする、請求項２に記載のディスプレイ装置。
【請求項９】
前記第２支持部は、
前記第３方向に延長された第２支持部本体と、
前記第２支持部本体の端部から前記第１方向に延長されて、前記第２支持部に収容された前記第２延長部の離脱を防止する第２支持部掛止突部と、を含み、
前記第２支持部は、前記第４方向に向かって作用する前記外力によっても前記ホルダー本体から弾性移動しないことを特徴とする、請求項８に記載のディスプレイ装置。
【請求項１０】
前記第１支持部及び前記第２支持部は、前記ホルダー本体の長さ方向に沿って前記第１延長部と前記第２延長部とをそれぞれに収容可能に延長された収容空間を形成し、前記ホルダー本体の長さ方向の両端部のいずれか一の端部を通して外部と連通する領域を有し、
前記第１延長部及び前記第２延長部は、前記連通する領域を通して前記長さ方向に沿ってスライディングして前記第１支持部及び前記第２支持部に装着可能であることを特徴とする、請求項２に記載のディスプレイ装置。
【請求項１１】
前記レンズは、長さ方向に垂直な断面の形状が前記長さ方向において同一である押出成形レンズであることを特徴とする、請求項１０に記載のディスプレイ装置。
【請求項１２】
前記複数の発光素子が作動可能に装着される印刷回路基板をさらに含み、
前記印刷回路基板は、前記発光素子収容部にスクリューで締結されることを特徴とする、請求項１に記載のディスプレイ装置。
【請求項１３】
前記発光素子収容部は、前記複数の発光素子を作動させるための回路が板面上にプリンティングされており、
前記複数の発光素子は、前記回路がプリンティングされている前記発光素子収容部の前記板面上に装着されることを特徴とする、請求項１に記載のディスプレイ装置。
【請求項１４】
映像信号を受信する映像受信部と、
前記映像受信部に受信される映像信号を、前記ディスプレイパネルに映像として表示されるように処理する映像処理部と、をさらに含むことを特徴とする、請求項１に記載のディスプレイ装置。
【発明の詳細な説明】
【技術分野】
【０００１】
本発明は、映像を表示するディスプレイパネル及びこれに光を供給するバックライトユニットを有するディスプレイ装置に係り、特に、バックライトユニットの組立構造を改善したディスプレイ装置に関する。
【背景技術】
【０００２】
ＴＶ、モニターなどのようなディスプレイ装置は、セットトップボックスのような映像処理処置とは違い、放送信号または様々なフォーマットの映像データを映像として表示するディスプレイパネル（ｄｉｓｐｌａｙ  ｐａｎｅｌ）を有する。このディスプレイパネルは、液晶パネル、プラズマ（ｐｌａｓｍａ）パネルなどのような種々の形態とし、各種のディスプレイ装置に適用している。ここで、液晶パネルなどのようにパネル自体で光を生成できない場合に、ディスプレイ装置は、光を生成してパネルに供給するバックライトユニット（ｂａｃｋｌｉｇｈｔ  ｕｎｉｔ、ＢＬＵ）を備える必要がある。
【０００３】
ディスプレイ装置のバックライトユニットは、冷陰極蛍光ランプ（ｃｏｌｄ  ｃａｔｈｏｄｅ  ｆｌｕｏｒｅｓｃｅｎｔ  ｌａｍｐ、ＣＣＦＬ）または発光ダイオード素子（ｌｉｇｈｔ  ｅｍｉｔｔｉｎｇ  ｄｉｏｄｅ、ＬＥＤ）のような光源から発した光を導光板を通じることで均一な光に調整してディスプレイパネルに供給する。
【０００４】
しかしながら、このような従来のディスプレイ装置は、導光板の重量を考慮しなければならず、装置の軽量化が容易でなく、また、光の均一性のための光学パターンが導光板の背面上に加工されることから導光板の設計が複雑になる。すなわち、従来のディスプレイ装置の導光板は、重量及び作製コストの側面において、ディスプレイ装置の他の構成要素に比べて多い割合を占めている。
【発明の概要】
【発明が解決しようとする課題】
【０００５】
ディスプレイ装置を簡単な構造で軽量化する。
【課題を解決するための手段】
【０００６】
本発明の実施例に係るディスプレイ装置は、カバーと、前記カバーに収容されるディスプレイパネルと、前記ディスプレイパネルの後面側において、前記カバーの四方向の縁のうち少なくとも一縁に沿って配置された複数の発光素子と、前記発光素子の配置方向に平行に延長され、前記発光素子からの光が入射するように前記発光素子の光出射方向に配置されたレンズと、前記ディスプレイパネルの後面に設けられており、前記レンズからの光を前記ディスプレイパネルへ反射させる反射シートと、前記少なくとも一縁に沿って延長されたホルダー本体、前記ホルダー本体の一面上に前記発光素子を収容するように形成された発光素子収容部、及び前記発光素子収容部から離れており、前記レンズを結合及び支持できるように前記ホルダー本体の前記一面上に形成されたレンズ支持部を有するホルダーと、を備えることを特徴とする。
【０００７】
ここで、前記レンズは、レンズ本体と、前記レンズ本体から前記ディスプレイパネルを向く第１方向に延長された第１延長部と、前記第１方向の反対方向である第２方向に延長された第２延長部と、を備え、前記レンズ支持部は、前記第１延長部を支持する第１支持部、及び前記第２延長部を支持する第２支持部を有することができる。
【０００８】
ここで、前記第２支持部は、前記光出射方向に平行な第３方向に延長された第２支持部本体と、前記第２支持部本体から前記第１方向に突出したフック状の第２支持部フックと、を有し、前記第２支持部本体は、外力により、前記レンズが前記第３方向の反対方向である第４方向に前記レンズ支持部に装着される時に、前記外力による前記第２延長部の加圧力によって前記ホルダー本体から弾性移動可能である。
【０００９】
ここで、前記第２支持部フックは、前記レンズの装着時における前記第２延長部との接触領域が丸く形成されているとよい。
【００１０】
また、前記第１支持部は、前記第３方向に延長されている第１支持部本体と、前記第１支持部本体の端部から前記第２方向に延長されており、前記第１支持部に収容された前記第１延長部の離脱を防止する第１支持部掛止突部と、を有し、前記第１支持部は、前記第４方向に作用する前記外力によっても前記ホルダー本体から弾性移動しないものでよい。
【００１１】
また、前記第１支持部は、前記第３方向に延長された第１支持部本体と、前記第１支持部本体から前記第２方向に突出したフック状の第１支持部フックと、を有し、前記第１支持部本体は、外力によって前記レンズが前記第４方向に前記レンズ支持部に装着される時に、前記外力による前記第１延長部の加圧力によって前記ホルダー本体から弾性移動可能であるとよい。
【００１２】
前記第１支持部フックは、前記レンズの装着時における前記第１延長部との接触領域が丸く形成されているとよい。
【００１３】
また、前記第１支持部は、前記光出射方向に平行な第３方向に延長された第１支持部本体と、前記第１支持部本体から前記第２方向に突出したフック状の第１支持部フックと、を有し、前記第１支持部本体は、外力により前記レンズが前記第３方向の反対方向である第４方向に前記レンズ支持部に装着される時に、前記外力による前記第１延長部の加圧力によって前記ホルダー本体から弾性移動可能であるとよい。
【００１４】
ここで、前記第２支持部は、前記第３方向に延長された第２支持部本体と、前記第２支持部本体の端部から前記第１方向に延長されており、前記第２支持部に収容された前記第２延長部の離脱を防止する第２支持部掛止突部と、を有し、前記第２支持部は、前記第４方向に作用する前記外力によっても前記ホルダー本体から弾性移動しないものでよい。
【００１５】
また、前記第１支持部及び前記第２支持部は、前記ホルダー本体の長さ方向に沿って前記第１延長部及び前記第２延長部をそれぞれ収容可能に延長された収容空間を形成し、前記ホルダー本体の長さ方向の両端部のいずれか一端部を通して外部と連通する領域を有し、前記第１延長部及び前記第２延長部は、前記連通する領域を通して前記長さ方向に沿ってスライディングして前記第１支持部及び前記第２支持部に装着可能であるとよい。
【００１６】
ここで、前記レンズは、長さ方向に垂直な断面の形状が前記長さ方向において同一である押出成形レンズでよい。
【００１７】
また、前記複数の発光素子が作動可能に装着される印刷回路基板をさらに備え、前記印刷回路基板は、前記発光素子収容部にスクリューで締結されるとよい。
【００１８】
または、前記発光素子収容部は、前記複数の発光素子を作動させるための回路が板面上にプリンティングされており、前記複数の発光素子は、前記回路がプリンティングされている前記発光素子収容部の前記板面上に装着されてもよい。
【００１９】
上記ディスプレイ装置は、映像信号を受信する映像受信部と、前記映像受信部に受信される映像信号を、前記ディスプレイパネルに映像として表示されるように処理する映像処理部と、をさらに備えることができる。
【発明の効果】
【００２０】
簡単な構造で軽量化が実現されたディスプレイ装置を提供する。
【図面の簡単な説明】
【００２１】
【図１】本発明の第１実施例に係るディスプレイ装置の分解斜視図である。
【図２】図１のディスプレイ装置において光源モジュール、レンズ及びホルダーを拡大して示す要部斜視図である。
【図３】図１のディスプレイ装置においてホルダーにレンズを装着する過程を示す要部側断面図である。
【図４】図１のディスプレイ装置においてホルダーにレンズを装着する過程を示す要部側断面図である。
【図５】図１のディスプレイ装置が結合された様子を示す要部側断面図である。
【図６】本発明の第２実施例に係るディスプレイ装置においてホルダーにレンズを装着する過程を示す要部側断面図である。
【図７】本発明の第３実施例に係るディスプレイ装置においてホルダーにレンズを装着する過程を示す要部側断面図である。
【図８】本発明の第４実施例に係るディスプレイ装置においてホルダーにレンズを装着する過程を示す要部斜視図である。
【図９】図８のホルダーにレンズが結合された様子を示す要部側断面図である。
【図１０】本発明の第５実施例に係るディスプレイ装置において発光素子及びホルダーの構成を示す要部側断面図である。
【図１１】本発明の第６実施例に係るディスプレイ装置の構成ブロック図である。
【発明を実施するための形態】
【００２２】
以下、添付の図面を参照しつつ、本発明について詳細に説明する。以下の実施例では、本発明の思想と直接的に関連している構成についてのみ説明し、その他の構成については説明を省略する。ただし、このように説明を省略した構成が、本発明の思想を適用した装置またはシステムの具現においても省かれるということを意味するわけではない。
【００２３】
図１は、本発明の第１実施例に係るディスプレイ装置１の分解斜視図であり、図２は、光源モジュール３１０、レンズ３２０及びホルダー４００を拡大して示す要部斜視図である。
【００２４】
まず、図面における各方向の意味は、次の通りである。Ｘ、Ｙ、Ｚ方向は、基本的に、横、縦及び高さの方向を意味する。同図で、ディスプレイパネル２００はＸ−Ｙ平面上に配置され、ディスプレイパネル２００とバックライトユニット３００とはＺ方向に沿って積層配置される。ここで、Ｘ、Ｙ、Ｚ方向の反対方向はそれぞれ、−Ｘ、−Ｙ、−Ｚ方向で表し、Ｘ−Ｙ平面は、Ｘ方向の軸及びＹ方向の軸により形成される平面を意味する。以下では、このように定義された方向を用いて各図面及び実施例について説明する。
【００２５】
図１及び図２に示すように、本実施例に係るディスプレイ装置１は、収容空間及び外形を形成するカバー１１０，１２０と、カバー１１０，１２０に収容され、映像が表示される映像表示面を有するディスプレイパネル２００と、カバー１１０，１２０に収容され、ディスプレイパネル２００に映像が表示されるようにディスプレイパネル２００に光を出すバックライトユニット３００と、を備える。
【００２６】
なお、ディスプレイ装置１は、カバー１１０，１２０に収容され、後述するディスプレイパネル２００及び光学シート群３４０を支持するパネル支持フレーム１３０を備える。
【００２７】
さらに、ディスプレイ装置１は、ディスプレイパネル２００を駆動させる駆動基板（図示せず）と、映像信号を処理し、この処理結果に応じてディスプレイパネル２００及びバックライトユニット３００を制御する映像処理盤（図示せず）と、を備える。ただし、これらの構成は本実施例と直接関連していないため、本発明の思想をより明確に説明及び表現するために、本実施例ではその説明を省略するものとする。
【００２８】
カバー１１０，１２０は、ディスプレイ装置１の諸般構成を内側に収容し、ディスプレイパネル２００前面の上下左右四方向の各縁及びディスプレイパネル２００の後面をカバーする。ディスプレイパネル２００の映像が表示される方向を前面、その反対方向を後面とすれば、カバー１１０，１２０は、ディスプレイパネル２００及びバックライトユニット３００の前面及び後面をそれぞれカバーする前面カバー１１０及び後面カバー１２０からなる。
【００２９】
前面カバー１１０は、同図では、ディスプレイパネル２００に相対するＸ−Ｙ平面に平行な板面上に、ディスプレイパネル２００の映像表示面をＺ方向に露出させる開口部を有する。前面カバー１１０は、収容しているディスプレイパネル２００の四方向の縁領域を支持する。
【００３０】
後面カバー１２０は、同図では、Ｚ方向に向くＸ−Ｙ平面に平行な板面上に、後述する反射シート３３０及びホルダー４００を支持する。後面カバー１２０は前面カバー１１０と一緒に、ディスプレイパネル２００を基準にＸ、−Ｘ、Ｙ、−Ｙ方向の四方向の縁にそれぞれ位置する側壁を有する。ディスプレイ装置１の組立時に、これらの側壁により、ディスプレイパネル２００及びバックライトユニット３００がディスプレイ装置１においてＸ−Ｙ平面に平行な方向に離脱することなく支持される。
【００３１】
本実施例ではディスプレイパネル２００として液晶パネルを用いる。ディスプレイパネル２００は、２枚の基板（図示せず）間に液晶層（図示せず）が充填され、駆動信号が印加されてこの液晶層（図示せず）の配列を調整することでディスプレイパネル２００に映像が表示される。ディスプレイパネル２００は自発光型でないため、映像表示のためにバックライトユニット３００から光を受ける。
【００３２】
ディスプレイパネル２００は、駆動基板（図示せず）から駆動信号が印加されると、ディスプレイパネル２００の液晶（図示せず）が所定角度で回転する。そのため、ディスプレイパネル２００の映像表示領域を構成する各セル（ｃｅｌｌ）単位に光透過特性が異なるようになり、映像表示面上に映像が表示される。
【００３３】
バックライトユニット３００は、ディスプレイパネル２００の背面／後面に配置されており、光を生成してディスプレイパネル２００の後面に発する。バックライトユニット３００は、ディスプレイ装置１の四方向の縁領域のうちの一の領域に配置されて光を生成して発する光源モジュール３１０と、光源モジュール３１０に沿って延長されて光源モジュール３１０からの光を収束して出射するレンズ３２０と、ディスプレイパネル２００の後面に配置されておりレンズ３２０からの出射光をディスプレイパネル２００に反射する反射シート３３０と、ディスプレイパネル２００の後面に積層形成されており反射シート３３０からの反射光の光特性を調節してディスプレイパネル２００に伝達する光学シート群３４０と、を備える。
【００３４】
本実施例では、カバー１１０，１２０の四方向の縁のうちの−Ｘ方向の縁領域に光源モジュール３１０及びレンズ３２０が設けられるとしたが、これに本発明の思想が限定されるものではない。そのため、光源モジュール３１０及びレンズ３２０は、Ｘ方向、Ｙ方向、−Ｙ方向の縁領域に設けられてもよく、二つ以上の縁領域にそれぞれ設けられてもよい。ここで、反射シート３３０は、光源モジュール３１０及びレンズ３２０の設置構成に応じて適宜の形状にすればよい。
【００３５】
光源モジュール３１０は、Ｙ方向に沿って順次に直列配置されている複数の発光素子３１１と、発光素子３１１に沿って延在し発光素子３１１が動作可能に装着されているモジュール基板３１２と、を備える。
【００３６】
発光素子３１１は、発光ダイオード素子（ｌｉｇｈｔ−ｅｍｉｔｔｉｎｇ  ｄｉｏｄｅ、ＬＥＤ）とし、モジュール基板３１２から駆動電源及び動作制御信号が供給される。発光素子３１１は、モジュール基板３１２に装着される方式によって光照射方向を調節できるが、本実施例では、モジュール基板３１２は、発光素子３１１の装着される板面がディスプレイパネル２００の映像表示面に平行なＸ−Ｙ平面に対して直立するとともにＸ方向に向くようにし、発光素子３１１は、光照射方向がＸ方向に向くようにモジュール基板３１２に装着される構成とした。
【００３７】
発光素子３１１は、一つのモジュール基板３１２に複数個が装着される。一つのモジュール基板３１２に装着される発光素子として、青色ＬＥＤ、緑色ＬＥＤ及び赤色ＬＥＤを含むことができ、各カラーのＬＥＤから放出される青色光、緑色光及び赤色光が相互混合されることで、優れたカラー再現性を有する白色光を形成することができる。たたじ、これは実施例に過ぎないもので、発光素子３１１は、白色光を直接生成する白色ＬＥＤを含んでもよい。
【００３８】
モジュール基板３１２は、Ｙ方向に長く延びている狭い幅の基板上に、発光素子３１１の動作のために設計された回路がプリンティングされてからなる。モジュール基板３１２は、板面上に、後述するホルダー４００と結合するための構成、例えば、スクリュー（図示せず）の締結のための孔（図示せず）が形成されていてもよい。モジュール基板３１２の基板材質は、特に限定されないが、発光素子３１１の放熱を考慮して熱伝逹特性に優れたアルミニウム材質とすればよい。
【００３９】
レンズ３２０は、発光素子３１１からの光が入射するように、発光素子３１１の光照射方向に光源モジュール３１０と隣接して配置される。レンズ３２０は、複数の発光素子３１１の配置に沿ってＹ方向に延長される。レンズ３２０は、発光素子３１１からの光を収束して、ディスプレイ装置１の中央領域に向くＸ方向に出射する。レンズ３２０にはコリメータ（ｃｏｌｌｉｍａｔｏｒ）レンズを用いることができる。
【００４０】
レンズ３２０は、ディスプレイ装置１に要求される光特性に応じて様々な形状に設計変更することができる。また、レンズ３２０は、ＰＭＭＡ（ｐｏｌｙ−ｍｅｔｈｙｌ−ｍｅｔｈａｃｒｙｌａｔｅ）のようなプラスチックや樹脂などの材質とし、本実施例では押出成形により作製する。
【００４１】
レンズ３２０が押出成形により作製されると、レンズ３２０の延長方向、すなわち、長さ方向に垂直なレンズ３２０断面の形状は長さ方向においてそれぞれ同一である。すなわち、レンズ３２０は、長さ方向であるＹ方向に沿ってＸ−Ｚ平面に平行に切断した時に、各断面が同じ形状を有する。
【００４２】
レンズ３２０は、入射光を収束して出射させるレンズ本体３２１と、レンズ本体３２１からＺ方向に突延している第１延長部３２３と、レンズ本体３２１から−Ｚ方向に突延している第２延長部３２５と、を有する。本実施例では、第１延長部３２３及び第２延長部３２５を、Ｚ方向軸線に平行に延びているものとしたが、Ｚ方向軸線に対して所定角度を有するように延びているものとしてもよい。
【００４３】
第１延長部３２３及び第２延長部３２５は、後述するホルダー４００に装着及び支持されることで、ホルダー４００がレンズ３２０を支持するようにする。これについての詳細な説明は後述する。
【００４４】
反射シート３３０は、ディスプレイパネル２００の後面と相対する反射面を有する。反射シート３３０の反射面は、レンズ３２０からの出射光がディスプレイパネル２００に均一に伝達されるように乱反射特性を有する。
【００４５】
反射シート３３０の形状は、光源モジュール３１０及びレンズ３２０の構成方式に応じて様々にすればよい。例えば、本実施例では、反射シート３３０は、レンズ３２０の光出射方向であるＸ方向に延長しているが、レンズ３２０から離れるにつれて反射面がディスプレイパネル２００に近づく傾斜面となっている。これにより、反射シート３３０は、レンズ３２０からＸ方向に出射する光をディスプレイパネル２００へ均一に反射させることができる。ただし、これは一例示に過ぎず、反射シート３３０の形状は適宜変更可能である。
【００４６】
光学シート群３４０は、ディスプレイパネル２００に平行に、ディスプレイパネル２００の後面に少なくとも一枚が積層されている。光学シート群３４０は、プリズムシート、拡散シート、保護フィルムなどを含み、反射シート３３０から反射する光の特性を調節してディスプレイパネル２００に伝達する。
【００４７】
このような構成により、本実施例に係るディスプレイ装置１は、バックライトユニット３００から提供される光によってディスプレイパネル２００上に映像を表示する。ここで、ディスプレイ装置１は、カバー１１０，１２０に収容されており、光源モジュール３１０及びレンズ３２０を支持するホルダー４００を備え、次に、ホルダー４００の詳細な構成について、図２を参照して説明する。
【００４８】
図２に示すように、ホルダー４００は、カバー１１０，１２０の−Ｘ方向の縁領域に配置され、Ｙ方向に沿って延長している。ホルダー４００は、光源モジュール３１０及びレンズ３２０の光出射を干渉しないように、光源モジュール３１０及びレンズ３２０を基準にＸ方向の反対方向である−Ｘ方向に配置されている。
【００４９】
ホルダー４００は、ホルダー本体４１０と、発光素子３１１を含む光源モジュール３１０を収容及び支持する発光素子収容部４２０と、レンズ３２０がホルダー４００に結合及び支持されるように第１延長部３２３を支持する第１レンズ支持部４３０と、レンズ３２０がホルダー４００に結合及び支持されるように第２延長部３２５を支持する第２レンズ支持部４４０と、を有する。ここで、発光素子収容部４２０、第１レンズ支持部４３０及び第２レンズ支持部４４０は、光源モジュール３１０及びレンズ３２０に対応してＹ方向に延長している。
【００５０】
ホルダー本体４１０は、カバー１１０，１２０及びパネル支持フレーム１３０の少なくとも一つにより支持される。ホルダー本体４１０は、作製性、組立性及び放熱性の向上のためにアルミニウムなどの材質とすればよい。ホルダー本体４１０は押出成形により作製することができる。
【００５１】
発光素子収容部４２０は、ホルダー本体４１０のＸ方向の側面に形成されている。発光素子収容部４２０は、発光素子３１１を含む光源モジュール３１０を収容及び支持する。発光素子収容部４２０は、モジュール基板３１２がスクリュー（図示せず）により締結されるような孔（図示せず）を有していてもよく、または、モジュール基板３１２が圧入されるような溝を有していてもよい。
【００５２】
第１レンズ支持部４３０は、ホルダー本体４１０からＸ方向に突延している第１支持部本体４３１と、第１支持部本体４３１の先端部から−Ｚ方向に突延している第１支持突部４３２を含む。
【００５３】
第１支持部本体４３１は、ホルダー本体４１０のＸ方向の側面において、発光素子収容部４２０からＺ方向に離れた位置から突出している。
【００５４】
第１支持突部４３２は、第１支持部本体４３１のＸ方向の先端部から−Ｚ方向に突延している。これにより、第１支持部本体４３１及び第１支持突部４３２は、レンズ３２０の第１延長部３２３が収容される収容空間を形成する。
【００５５】
第２レンズ支持部４４０は、ホルダー本体４１０からＸ方向に突延している第２支持部本体４４１と、第２支持部本体の先端部からＺ方向に突延している第２支持部フック４４２と、を有する。
【００５６】
第２支持部本体４４１は、ホルダー本体４１０のＸ方向の側面において、発光素子収容部４２０から−Ｚ方向に離れた位置から突延している。第２支持部本体４４１は、既に設定されたレベルの外力が作用する時に、ホルダー本体４１０に対して弾性的に移動／揺動／変形可能なようになっている。
【００５７】
第２支持部フック４４２は、第２支持部本体４４１のＸ方向の先端部からＺ方向に突延している。これによって、第２支持部本体４４１及び第２支持部フック４４２は、レンズ３２０の第２延長部３２５が収容される収容空間を形成する。
【００５８】
ここで、第１支持部本体４３１及び第２支持部本体４４１間の間隔、ホルダー本体４１０及び第１支持突部間の間隔、及びホルダー本体４１０及び第２支持部フック４４２間の間隔は、第１延長部３２３及び第２延長部３２５の大きさ及び形状に応じて決定される。すなわち、これらの間隔は、数値特定されず、レンズ３２０がホルダー４００に結合及び支持可能な範囲内で適宜変更可能である。
【００５９】
次に、このようなホルダー４００にレンズ３２０を装着する方法について、図３及び図４を参照して説明する。
【００６０】
図３及び図４は、ホルダー４００にレンズ３２０を装着する方法の一例を示す要部側断面図である。図３に示すように、発光素子収容部４２０に光源モジュール３１０が支持されている状態で、使用者はまず、第１延長部３２３を第１レンズ支持部４３０の収容空間にはめ込む。第１レンズ支持部４３０に第１延長部３２３が収容されている状態で使用者はレンズ３２０に対して−Ｘ方向に力を加える。
【００６１】
この−Ｘ方向に作用する外力により、第１レンズ支持部４３０に収容されている第１延長部３２３を軸にして第２延長部３２５が第２支持部フック４４２を加圧するように揺動する。第２延長部３２５は第２支持部フック４４２に接して加圧し、この加圧力により第２支持部本体４４１は−Ｚ方向に弾性揺動する。そして、第２延長部３２５は第２支持部本体４４１の揺動によってホルダー本体４１０に接近移動する。
【００６２】
この時、第１支持部本体４３１は外力によってもホルダー本体４１０に対して弾性移動せず、第２延長部３２５は、第１レンズ支持部４３０に収容されている第１延長部３２３を軸にして揺動することができる。
【００６３】
ここで、第２支持部フック４４２は、第２延長部３２５との接触領域が丸くなっており、第２延長部３２５の移動を容易にさせる。
【００６４】
図４に示すように、第２延長部３２５が第２レンズ支持部４４０の収容空間に収容されることで第２支持部フック４４２に対する加圧力が解除されると、第２支持部本体４４１は元の位置に復帰する。この時、第２支持部フック４４２は、第２延長部３２５が第２レンズ支持部４４０から離脱することを防止する。これで、レンズ３２０はホルダー４００に装着及び支持される。
【００６５】
このように、本実施例によれば、別途のスクリュー（図示せず）による締結構造を適用することなく、簡単な構造によりレンズ３２０をホルダー４００に結合及び支持することが可能になる。
【００６６】
次に、本実施例に係るディスプレイ装置１が結合された構造について、図５を参照して説明する。
【００６７】
図５は、ディスプレイ装置１が結合された様子を示す要部側断面図である。図５に示すように、前面カバー１１０及び後面カバー１２０により形成された収容空間内において、Ｚ方向の最上側にディスプレイパネル２００及び光学シート群３４０が積層されており、ディスプレイパネル２００及び光学シート群３４０はパネル支持フレーム１３０により支持されている。
【００６８】
ホルダー４００は、パネル支持フレーム１３０及び後面カバー１２０の間に配置されている。本実施例では、ホルダー４００をパネル支持フレーム１３０と別途の構成としたが、ホルダー４００及びパネル支持フレーム１３０は一体の構成としてもよい。ホルダー４００は、発光素子収容部４２０、第１レンズ支持部４３０及び第２レンズ支持部４４０の構成がＸ方向、すなわち、ディスプレイ装置１の内側を向くように配置されている。
【００６９】
反射シート３３０は、後面カバー１２０上に、ディスプレイパネル２００と相対するように支持されている。
【００７０】
ホルダー４００の発光素子収容部４２０は、発光素子３１１からの照射光がＸ方向に向かうようにモジュール基板３１２を支持する。また、第１レンズ支持部４３０及び第２レンズ支持部４４０は、光照射方向に沿ってレンズ３２０が光源モジュール３１０に隣接して配置されるようにレンズ３２０を支持する。
【００７１】
このような構造下で、発光素子３１１から発する光はレンズ３２０を通過しつつ収束され、Ｘ方向に出射する。レンズ３２０から出射した光は反射シート３３０で乱反射されて光学シート群３４０を通過し、光学シート群３４０で光特性が調節されてディスプレイパネル２００に到達する。
【００７２】
一方、光源モジュール３１０で発生する熱は、ホルダー４００及びカバー１１０，１２０を通ってディスプレイ装置１の外部に放熱される。ホルダー４００は、アルミニウム材質を含むことで迅速な熱伝逹を可能にする。また、ホルダー４００は、カバー１１０，１２０の縁領域に介在されるので、ディスプレイ装置１全体の縁領域の強度を向上させる。
【００７３】
以上説明したように、本実施例に係るディスプレイ装置１は、簡単な構造で光源モジュール３１０及びレンズ３２０が結合及び支持されるホルダー４００を有する。このようなホルダー４００の適用により、ディスプレイ装置１の作製過程を簡単にさせ、生産性の向上を図ることができる。
【００７４】
一方、ホルダー４００は、上記の実施例に限定されず、様々な設計変更が可能である。次に、第１実施例と異なる構成のホルダー５００について詳細に説明する。
【００７５】
図６は、本発明の第２実施例に係るディスプレイ装置１においてホルダー５００にレンズ３２０を装着する方法を示す要部側断面図である。図６に示すように、本実施例に係るホルダー５００は、ホルダー本体５１０と、発光素子収容部５２０と、第１レンズ支持部５３０と、第２レンズ支持部５４０と、を有する。本実施例によるホルダー本体５１０及び発光素子収容部５２０の構成は、第１実施例を応用すればよく、その詳細な説明は省略する。
【００７６】
第１レンズ支持部５３０は、ホルダー本体５１０からＸ方向に突延している第１支持部本体５３１と、第１支持部本体５３１の先端部から−Ｚ方向に突延している第１支持部フック５３２と、を有する。
【００７７】
第１支持部本体５３１は、ホルダー本体５１０のＸ方向の側面において、発光素子収容部５２０からＺ方向に離れた位置から突延している。第１支持部本体５３１は、既に設定されたレベルの外力が作用すると、ホルダー本体５１０に対して弾性的に移動／揺動／変形可能なようになっている。
【００７８】
第１支持部フック５３２は、第１支持部本体５３１のＸ方向の先端部から−Ｚ方向に突延している。これにより、第１支持部本体５３１及び第１支持部フック５３２は、レンズ３２０の第１延長部３２３が収容される収容空間を形成する。
【００７９】
第２レンズ支持部５４０は、ホルダー本体５１０からＸ方向に延突している第２支持部本体５４１と、第２支持部本体５４１の先端部からＺ方向に延突している第２支持突部５４２と、を有する。
【００８０】
第２支持部本体５４１は、ホルダー本体５１０のＸ方向の側面において、発光素子収容部５２０から−Ｚ方向に離れた位置から突延している。
【００８１】
第２支持突部５４２は、第２支持部本体５４１のＸ方向の先端部からＺ方向に突延している。これにより、第２支持部本体５４１及び第２支持突部５４２は、レンズ３２０の第２延長部３２５が収容される収容空間を形成する。
【００８２】
このような構造下で、ホルダー５００にレンズ３２０を装着する方法を説明すると、下記の通りである。
【００８３】
発光素子収容部５２０に光源モジュール３１０が支持されている状態で、使用者はまず、第２延長部３２５を第２レンズ支持部５４０の収容空間にはめ込む。第２レンズ支持部５４０に第２延長部３２５が収容された状態で使用者はレンズ３２０に対して−Ｘ方向に力を加える。
【００８４】
この−Ｘ方向に作用する外力により、第２レンズ支持部５４０に収容されている第２延長部３２５を軸にして、第１延長部３２３が第１支持部フック５３２を加圧しつつ移動する。第１支持部本体５３１はこの加圧力によりＺ方向に揺動し、第１延長部３２３は第１支持部本体５３１の揺動によってホルダー本体５１０に接近移動する。
【００８５】
この時、第２支持部本体５４１は上記外力によってもホルダー本体５１０に対して弾性移動せず、第１延長部３２３は、第２レンズ支持部５４０に収容されている第２延長部３２５を軸にして揺動することができる。
【００８６】
ここで、第１支持部フック５３２は、第１延長部３２３との接触領域が丸くなっているため、第１延長部３２３の移動を容易にさせることができる。
【００８７】
そして、第１延長部３２３が第１レンズ支持部５３０の収容空間に収容されることで第１支持部フック５３２への加圧力が解除されると、第１支持部本体５３１は元の位置に復帰する。この時、第１支持部フック５３２は、第１延長部３２３が第１レンズ支持部５３０から離脱することを防止する。これで、レンズ３２０はホルダー５００に装着及び支持される。
【００８８】
図７は、本発明の第３実施例に係るディスプレイ装置１においてホルダー６００にレンズ３２０を装着する方法を示す要部側断面図である。図７に示すように、本実施例に係るホルダー６００は、ホルダー本体６１０と、発光素子収容部６２０と、第１レンズ支持部６３０と、第２レンズ支持部６４０と、を有する。本実施例に係るホルダー本体６１０及び発光素子収容部６２０の構成は、上述した実施例を応用すればよく、その詳細な説明を省略する。
【００８９】
第１レンズ支持部６３０は、ホルダー本体６１０からＸ方向に延突している第１支持部本体６３１と、第１支持部本体６３１の先端部から−Ｚ方向に突延している第１支持部フック６３２と、を有する。
【００９０】
第１支持部本体６３１は、ホルダー本体６１０のＸ方向の側面において、発光素子収容部６２０からＺ方向に離れた位置から突延している。第１支持部本体６３１は、既に設定されたレベルの外力が作用すると、ホルダー本体６１０に対して弾性的に移動／揺動／変形可能なようになっている。
【００９１】
第１支持部フック６３２は、第１支持部本体６３１のＸ方向の先端部から−Ｚ方向に突延している。これにより、第１支持部本体６３１及び第１支持部フック６３２は、レンズ３２０の第１延長部３２３が収容される収容空間を形成する。
【００９２】
第２レンズ支持部６４０は、ホルダー本体６１０からＸ方向に延突している第２支持部本体６４１と、第２支持部本体６４１の先端部からＺ方向に突延している第２支持部フック６４２と、を有する。
【００９３】
第２支持部本体６４１は、ホルダー本体６１０のＸ方向の側面において、発光素子収容部６２０から−Ｚ方向に離れた位置から突延している。第２支持部本体６４１は、既に設定されたレベルの外力が作用すると、ホルダー本体６１０に対して弾性的に移動／揺動／変形可能なようになっている。
【００９４】
第２支持部フック６４２は、第２支持部本体６４１のＸ方向の先端部からＺ方向に突延している。これにより、第２支持部本体６４１及び第２支持部フック６４２は、レンズ３２０の第２延長部３２５が収容される収容空間を形成する。
【００９５】
このような構造下で、ホルダー６００にレンズ３２０を装着する方法を説明すると、下記の通りである。
【００９６】
使用者は、レンズ３２０に対して−Ｘ方向に力を加える。この外力により、第１延長部３２３及び第２延長部３２５はそれぞれ、第１支持部フック６３２及び第２支持部フック６４２を接触加圧する。第１支持部本体６３１及び第２支持部本体６４１はこの加圧力によりホルダー本体６１０に対してそれぞれＺ方向及び−Ｚ方向に揺動することで、第１延長部３２３及び第２延長部３２５が第１レンズ支持部６３０及び第２レンズ支持部６４０との間に進入するように許容する。
【００９７】
ここで、第１支持部フック６３２及び第２支持部フック６４２はそれぞれ、第１延長部３２３及び第２延長部３２５との接触領域が丸くなっているため、第１延長部３２３及び第２延長部３２５の移動を容易にさせることができる。
【００９８】
第１延長部３２３及び第２延長部３２５が第１支持部本体６３１及び第２支持部本体６４１間の収容空間に収容されることで第１支持部フック６３２及び第２支持部フック６４２への加圧力が解除されると、第１支持部本体６３１及び第２支持部本体６４１は元の位置に復帰する。この時、第１支持部フック６３２は、第１延長部３２３が第１レンズ支持部６３０から離脱することを防止し、第２支持部フック６４２は、第２延長部３２５が第２レンズ支持部６４０から離脱することを防止する。これで、レンズ３２０はホルダー６００に装着及び支持される。
【００９９】
図８は、本発明の第４実施例に係るディスプレイ装置１においてホルダー７００にレンズ３２０を装着する過程を示す要部斜視図であり、図９は、本実施例によっててホルダー７００にレンズ３２０が結合された様子を示す要部側断面図である。
【０１００】
図８及び図９に示すように、本実施例に係るホルダー７００は、ホルダー本体７１０と、発光素子収容部７２０と、第１レンズ支持部７３０と、第２レンズ支持部７４０と、を有する。本実施例に係るホルダー本体７１０及び発光素子収容部７２０の構成は、上述した実施例を応用すればよく、その詳細な説明を省略する。
【０１０１】
レンズ３２０が押出成形により作製されると、長さ方向、すなわち、Ｙ方向に沿って垂直に切断したレンズ３２０の断面の形状は長さ方向においてそれぞれ同一となる。すなわち、レンズ３２０の第１延長部３２３及び第２延長部３２５も、Ｘ−Ｚ平面に平行な各断面がＹ方向において同じ形状を有する。
【０１０２】
これに対応して、第１レンズ支持部７３０及び第２レンズ支持部７４０は、ルダー本体７１０の長さ方向、すなわち、Ｙ方向に沿って、第１延長部３２３及び第２延長部３２５の断面形状に対応して延長する空間とする。このような第１レンズ支持部７３０及び第２レンズ支持部７４０は、ホルダー本体７１０の長さ方向の一端部を通じて外部と連通する。
【０１０３】
このような構造下で、使用者は、ホルダー本体７１０の一端部に形成されている連通領域を通して第１延長部３２３及び第２延長部３２５を第１レンズ支持部７３０及び第２レンズ支持部７４０内に進入させる。続いて、第１延長部３２３及び第２延長部３２５は−Ｙ方向に沿って第１レンズ支持部７３０及び第２レンズ支持部７４０内にスライディング移動することによって、第１レンズ支持部７３０及び第２レンズ支持部７４０内に収容及び支持される。
【０１０４】
これで、レンズ３２０はホルダー７００に装着及び支持される。
【０１０５】
以上の実施例では、ホルダー４００，５００，６００，７００の様々な具現例について説明した。以上実施例は、ホルダーにおけるレンズ３２０の支持構造について例示したが、以上のホルダーとは異なる方式のホルダー８００も可能であり、次に、このホルダー８００の実施例について図１０を参照して説明する。
【０１０６】
図１０は、本発明の第５実施例に係るディスプレイ装置１において発光素子３１１及びホルダー８００の構成を示す要部側断面図である。図１０に示すように、本実施例に係るホルダー８００は、ホルダー本体８１０と、発光素子収容部８２０と、第１レンズ支持部８３０と、第２レンズ支持部８４０と、を有する。本実施例に係るホルダー本体８１０、第１レンズ支持部８３０及び第２レンズ支持部８４０の構成は、上記の第４実施例を応用してもよく、その他の実施例を応用してもよい。
【０１０７】
発光素子収容部８２０は、Ｘ方向を向く板面上に、発光素子３１１を作動させるための回路８５０がプリンティングされている。この回路８５０は、発光素子３１１が直接装着されるように設けられる。すなわち、以上の実施例における光源モジュール３１０は、モジュール基板３１２上に複数の発光素子３１１が装着されてなるものとしたが（図２参照）、本実施例では、モジュール基板３１２上に形成される回路８５０を発光素子収容部８２０上に形成することで、モジュール基板３１２を省き、発光素子３１１をホルダー８００に直接装着できる構成とした。
【０１０８】
これにより、部品を削減し、且つ、発光素子３１１からの発熱を、ホルダー８００を通してより效率よく放熱させることが可能になる。
【０１０９】
一方、上述した実施例は、種々のディスプレイ装置９００に適用することができる。以下、ディスプレイ装置９００をＴＶにした場合に本発明の実施例が適用される一例を、図１１を参照して説明する。
【０１１０】
図１１は、第６実施例に係るディスプレイ装置９００の構成ブロック図である。図１１で、実線は映像信号または制御信号の伝達を、点線は光の伝達を意味する。図１１に示すように、本実施例に係るディスプレイ装置９００は、外部から映像信号を受信する映像受信部９１０と、映像受信部９１０に受信される映像信号を処理する映像処理部９２０と、映像処理部９２０により処理される映像信号を映像として表示するディスプレイパネル９３０と、ディスプレイパネル９３０に映像が表示されるように光を供給するバックライトユニット９４０と、を備える。
【０１１１】
映像受信部９１０は、有線または無線で映像信号／映像データを受信して映像処理部９２０に伝達するもので、受信する映像信号の規格に応じて様々な方式のものとすることができる。例えば、映像受信部１１０は、ＲＦ（ｒａｄｉｏ  ｆｒｅｑｕｅｎｃｙ）信号、コンポジット（ｃｏｍｐｏｓｉｔｅ）／コンポーネント（ｃｏｍｐｏｎｅｎｔ）ビデオ、スーパービデオ（ｓｕｐｅｒ  ｖｉｄｅｏ）、ＳＣＡＲＴ、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ディスプレイポート（Ｄｉｓｐｌａｙ  Ｐｏｒｔ）、ＵＤＩ（ｕｎｉｆｉｅｄ  ｄｉｓｐｌａｙ  ｉｎｔｅｒｆａｃｅ）、またはワイヤレス（ｗｉｒｅｌｅｓｓ  ＨＤ）規格などによる映像信号を受信することができる。
【０１１２】
映像処理部９２０は、映像信号に、既に設定された様々な映像処理プロセスを行い、該映像信号をディスプレイパネル９３０に出力することで、ディスプレイパネル９３０の映像表示面上に映像が表示されるようにする。映像処理部９２０が行うプロセスの種類は、特に限定されないが、例えば、様々な映像フォーマットに対応するデコーディング（ｄｅｃｏｄｉｎｇ）、デインターレーシング（ｄｅ−ｉｎｔｅｒｌａｃｉｎｇ）、フレームリフレッシュレート（ｆｒａｍｅ  ｒｅｆｒｅｓｈ  ｒａｔｅ）変換、スケーリング（ｓｃａｌｉｎｇ）、映像画質改善のためのノイズ低減（ｎｏｉｓｅ  ｒｅｄｕｃｔｉｏｎ）、ディテール強化（ｄｅｔａｉｌ  ｅｎｈａｎｃｅｍｅｎｔ）などがある。
【０１１３】
映像受信部９１０及び映像処理部９２０は、ディスプレイ装置９００に組み込まれる映像処理盤（図示せず）とすることができる。
【０１１４】
ディスプレイパネル９３０及びバックライトユニット９４０の構成は、上述した実施例の構成と実質的に同一であり、これら構成を支持するホルダー（図示せず）も、以上の実施例の構成を応用すればいいので、その詳細な説明を省略する。
【０１１５】
以上説明した実施例は例示的なものに過ぎず、当該技術の分野における通常の知識を有する者には、様々な変形及び均等な他の実施例が可能であろう。したがって、本発明の真の技術的保護範囲は、添付の特許請求の範囲に記載された発明の技術的思想により定められるべきである。
【符号の説明】
【０１１６】
１        ディスプレイ装置
１１０    前面カバー
１２０    後面カバー
１３０    パネル支持フレーム
２００    ディスプレイパネル
３００    バックライトユニット
３１０    光源モジュール
３１１    発光素子
３１２    モジュール基板
３２０    レンズ
３２１    レンズ本体
３２３    第１延長部
３２５    第２延長部
３３０    反射シート
３４０    光学シート群
４００    ホルダー
４１０    ホルダー本体
４２０    発光素子収容部
４３０    第１レンズ支持部
４４０    第２レンズ支持部
【図１】
2013068931.tif 000003
【図２】
2013068931.tif 000004
【図３】
2013068931.tif 000005
【図４】
2013068931.tif 000006
【図５】
2013068931.tif 000007
【図６】
2013068931.tif 000008
【図７】
2013068931.tif 000009
【図８】
2013068931.tif 000010
【図９】
2013068931.tif 000011
【図１０】
2013068931.tif 000012
【図１１】
2013068931.tif 000013